(57)【要約】【課題】各種の大きさや形状のゴルフバッグにフィットし、十分な携帯性、保護性を実現するゴルフバッグ用カバーを提供する。【解決手段】本考案は、高伸縮素材で構成された第１の胴部２及び第２の胴部３と、第1の胴部２と第２の胴部３を縫合する縫合部４と、第1の胴部２と第２の胴部３との縫合端の途中に形成された開口部５と、開口部５において、第1の胴部２と第２の胴部３とを接続する第１ベルト部６と、第１の胴部２と第２の胴部３の下端の開口縁を周回するように配設された第２ベルト部７とを備えたゴルフバッグ用カバー１である。【選択図】図１
0003214488.tif 000002
【実用新案登録請求の範囲】
【請求項１】
ゴルフバックが収納されるゴルフバッグ用カバーであって、
高伸縮素材で構成された第１の胴部と、
高伸縮素材で構成された第２の胴部と、
前記第1の胴部と前記第２の胴部を縫合する縫合部と、
前記第1の胴部と前記第２の胴部との前記縫合端の途中に形成された開口部と、
前記開口部において、前記第1の胴部と第２の胴部とを接続する第１ベルト部と、
前記第１の胴部と前記第２の胴部の下端の開口縁を周回するように配設された第２ベルト部と、を備えた
ゴルフバッグ用カバー。
【請求項２】
前記開口部は、前記ゴルフバッグの取手を外に出すものであり、
前記第１ベルト部は、前記開口部の開口が広がりすぎないように制限する
請求項１に記載のゴルフバッグ用カバー。
【請求項３】
前記第２ベルト部は、前記ゴルフバッグの下端に位置固定される
請求項１又は請求項２に記載のゴルフバッグ用カバー。
【請求項４】
前記第１の胴部及び前記第２の胴部は、前記ゴルフバッグのサイズ及び形状に合わせて伸縮する
請求項１乃至請求項３のいずれか１項に記載のゴルフバッグ用カバー。
【考案の詳細な説明】
【技術分野】
【０００１】
本考案は、所謂キャリーバッグ等といったゴルフバッグのカバーに関する。
【背景技術】
【０００２】
従来、ゴルフバッグの宅配便による運搬時の損傷を防止するために、各種のゴルフバッグ用カバーが用いられている。
【０００３】
ここで、例えば特許文献１では、ゴルフバッグを収納時にゴルフバッグ全体を包む大きさに拡張する伸縮性生地で作成されており、ゴルフバッグカバーの上方及び胴部は閉塞され、下端にはゴルフバッグの出入り口になる開口部が設けられ、開口部には開口縁に閉じ紐を回して設け、ゴルフバッグカバーの長手方向の中途にゴルフバッグの取手を突出させるための取手部を設けたゴルフバッグカバーが開示されている。
【先行技術文献】
【特許文献】
【０００４】
【特許文献１】実用新案登録第３１７９９４０号公報
【考案の概要】
【考案が解決しようとする課題】
【０００５】
しかしながら、特許文献１をはじめとする従来技術に係るゴルフバッグカバーでは、次のような問題があった。即ち、図４（ａ）に示されるように、小型のゴルフバックにはフィットせず損傷等から十分に保護することができていなかった。そして、カバーを付けた状態での持ち運びが不便であった。さらに、図４（ｂ）に示されるように、大型のゴルフバッグにはそもそも装着することができなかった。つまり、多様なサイズや形状のゴルフバッグに適用することができなかった。
【０００６】
本考案は、このような課題に鑑みてなされたものであり、その目的とするところは、各種の大きさや形状のゴルフバッグにフィットし、十分な携帯性、保護性を実現するゴルフバッグ用カバーを提供することにある。
【課題を解決するための手段】
【０００７】
上記課題を解決するために、本考案の一態様に係るゴルフバッグ用カバーは、ゴルフバックが収納されるゴルフバッグ用カバーであって、高伸縮素材で構成された第１の胴部と高伸縮素材で構成された第２の胴部と、前記第1の胴部と前記第２の胴部を縫合する縫合部と、前記第1の胴部と前記第２の胴部との縫合端の途中に形成された開口部と、前記開口部において、前記第1の胴部と第２の胴部とを接続する第１ベルト部と、前記第１の胴部と前記第２の胴部の下端の開口縁を周回するように配設された第２ベルト部と、を備えている。
【０００８】
ここで、前記開口部は、前記ゴルフバッグの取手を外に出すものであり、前記第１ベルト部は、前記開口部の開口が広がりすぎないように制限するようにしてよい。前記第２ベルト部は、前記ゴルフバッグの下端に位置固定されてよい。そして、前記第１の胴部及び前記第２の胴部は、前記ゴルフバッグのサイズ及び形状に合わせて伸縮してよい。
【考案の効果】
【０００９】
本考案によれば、各種の大きさや形状のゴルフバッグにフィットし、十分な携帯性、保護性を実現するゴルフバッグ用カバーを提供することができる。
【図面の簡単な説明】
【００１０】
【図１】本考案の一実施形態に係るゴルフバッグ用カバーの構成図である。
【図２】同ゴルフバッグ用カバーの装着時の様子を示す図である。
【図３】同ゴルフバッグ用カバーの装着時の様子を示す図である。
【図４】従来技術に係るゴルフバッグ用カバーの使用の様子を示す図である。
【考案を実施するための形態】
【００１１】
以下、図面を参照しつつ本考案の一実施形態について説明する。
【００１２】
図１には本考案の一実施形態に係るゴルフバッグ用カバーの構成を示し説明する。
【００１３】
図１（ａ）、図１（ｂ）に示されるように、ゴルフバッグ用カバー１は、第１の胴部２と第２の胴部３とが縫合部４により縫合され、両者が一体となり構成されている。縫合部４の途中、つまり第１及び第２の胴部２，３の一方の側面の略中央には、開口部５が設けられている、開口部５の略中央部には第１の胴部２と第２の胴部３とを接続するように伸縮自在な第１のベルト部６が設けられている。第１の胴部２と第２の胴部３とは、その底面では縫合されておらず、開口部を形成しているが、底面の開口部には高伸縮性ゴムによる第２ベルト部７が、底面の開口部の縁部を周回するように配設されている。
【００１４】
第１の胴部２、第２の胴部３は、いずれも高伸縮素材で構成されており、未使用時には折りたたんで、図１（ａ）に示されるような収納ポーチ２０に収納することが可能となっている。このように、第１の胴部２、第２の胴部３が共に高伸縮素材で構成されているので、各種のサイズ、大きさのゴルフバッグにフィットし、開口部５も、各種ゴルフバッグの取手の大きさに合わせて開口することになる。その際、第１ベルト部６が、開口を制限することで、開口部５の必要十分な開口を実現している。そして、底面の開口部の縁部の第２のベルト部７が、各種サイズ、形状のゴルフバッグの底部をしっかりホールドすることが可能となっている。この第２のベルト部７としては、高伸縮性ゴムを採用することが可能であるが、これに限定されるものではない。
【００１５】
図２には、同ゴルフバッグ用カバーの使用の様子を示し説明する。
【００１６】
図２（ａ）に示されるように、小型のゴルフバッグを収納する場合には、底面の開口部の縁部に配設された第２ベルト部７を手で広げて、底面からゴルフバッグをゴルフバッグ用カバー１の中に押し込む。前述したように、第１の胴部２、第２の胴部３が共に高伸縮素材で構成されているので、図示のように、装着時には、第１の胴部２、第２の胴部３がゴルフバックのサイズ、形状にフィットする。更に、開口部５よりゴルフバッグの取手を出して使用することができ、そのとき第２のベルト部６により開口部５が必要十分な開口となるように、付勢力による制限が働く。ゴルフバッグの取手は、様々なサイズのものがあり、更にゴルフバッグへの取付け位置も態様であるが、第１の胴部２及び第２の胴部３が前述したように、高伸縮素材で構成されているので、多様な取手に対応することが可能となっている。
【００１７】
さらに、図２（ｂ）に示されるように、大型のゴルフバッグを収納する場合も、上記同様であり、底面の開口部の縁部に配設された第２ベルト部７を手で広げて、底面からゴルフバッグをゴルフバッグ用カバー１の中に押し込む。前述したように、第１の胴部２、第２の胴部３が共に高伸縮素材で構成されているので、図示のように、装着時には、第１の胴部２、第２の胴部３がゴルフバックのサイズ、形状にフィットする。更に、開口部５よりゴルフバッグの取手を出して使用することができ、そのとき第２のベルト部７により開口部５が必要十分な開口となるように、付勢力による制限が働く。大型のゴルフバッグの場合も、ゴルフバッグの取手は、様々なサイズのものがあり、更にゴルフバッグへの取付け位置も態様であるが、第１の胴部２及び第２の胴部３が前述したように、高伸縮素材で構成されているので、多様な取手に対応することが可能となっている。
【００１８】
最後に、図３を参照して、本ゴルフバッグ用カバー１のゴルフバッグへの装着の様子を更に詳細に説明する。
【００１９】
図３（ａ）は、ゴルフバッグ用カバー１のゴルフバッグへの装着時の様子を側面から示した図である。同図に示されるように、ゴルフバッグのサイズ、形状にフィットしていることが分かる。図３（ｂ）、図３（ｃ）は、ゴルフバッグ用カバー１の装着時の様子、特に開口部５の様子を示した図である。これらの図に示されるように、装着時において、開口部５がゴルフバッグの取手の大きさにフィットした開口面積となっており、その制限に第１ベルト部６の付勢力が寄与していることが分かる。図３（ｃ）は、ゴルフバッグ用カバー１の底面の開口部の縁部に配設された第２ベルト部７の締め付けの様子を更に詳細に示した図である。同図に示されるように、第２ベルト部７は、高伸縮性ゴム等からなり、ゴルフバッグの底面にしっかりとフィットしている。
【００２０】
以上説明したように、本考案によれば、高伸縮素材で構成された第１の胴部２及び第２の胴部３と、第1の胴部２と第２の胴部３を縫合する縫合部４と、第1の胴部２と第２の胴部３との縫合端の途中に形成された開口部５と、開口部５において、第1の胴部２と第２の胴部３とを接続する第１ベルト部６と、第１の胴部２と第２の胴部３の下端の開口縁を周回するように配設された第２ベルト部７とを備えたゴルフバッグ用カバー１が提供される。従って、様々なサイズのゴルフバッグにフィットし、保護性及び携帯性が良好なゴルフバッグ用カバーが提供される。
【００２１】
このゴルフバッグ用カバー１において、開口部５は、ゴルフバッグの取手を外に出すものであり、第１ベルト部２は、開口部５の開口が広がりすぎないように制限するようにしてよい。第２ベルト部７は、ゴルフバッグの下端に位置固定されてよい。そして、第１の胴部２及び第２の胴部３は、ゴルフバッグのサイズ及び形状に合わせて伸縮してよい。
【００２２】
以上、本考案の一実施形態に係るゴルフバッグ用カバーについて説明したが、本考案はこれに限定されることなく、その趣旨を逸脱しない範囲で種々の改良、変更が可能であることは勿論である。
【００２３】
例えば、第１の胴部及び第２の胴部には、様々な色彩、模様のプリントを施してもよいことは勿論である。
【符号の説明】
【００２４】
１…ゴルフバッグ用カバー
２…第１の胴部
３…第２の胴部
４…縫合部
５…開口部
６…第１ベルト部
７…第２ベルト部
【図１】
0003214488.tif 000003
【図２】
0003214488.tif 000004
【図３】
0003214488.tif 000005
【図４】
0003214488.tif 000006